(57)【特許請求の範囲】
【請求項１】
柔軟性のある素材から形成された輸液バッグであって、輸液バッグ内における輸液収容可能な空間部の上部及び下部で全幅を占め上下に隣接する大容積の第１室と第２室と、輸液バッグの高さ方向においては前記第１室と第２室との間に位置しかつ幅方向では輸液バッグの片側に位置し、前記第１室と第２室の両方に隣接する小容積の第３室とに分割された輸液装填可能な空間を備えており、第１室と第２室との境界部は、薬液バッグの幅方向に延びて両室に装填された輸液のいずれかを外部から押圧することにより剥離し得る剥離シールにて接合されており、前記剥離シールから、第１室と第３室との境界部及び第２室と第３室との境界部のシールが輸液バッグの対向側縁まで延設され、第１室と第３室との境界部と第２室と第３室との境界部の前記シールの双方、あるいは少なくとも一方は第１室と第２室に装填された輸液のいずれかを外部から押圧することにより剥離し得る剥離シールにて接合されており、第１室と第２室に装填された輸液のいずれかを外部から押圧することにより第１室と第２室と第３室とが開通されることを特徴とする輸液バッグ。
【請求項２】
柔軟性のある素材から形成された輸液バッグであって、輸液バッグ内における輸液収容可能な空間部の上部及び下部で全幅を占め上下に隣接する大容積の第１室と第２室と、輸液バッグの高さ方向においては前記第１室と第２室との間に位置しかつ幅方向では輸液バッグの両側に位置し、前記第１室と第２室の両方に隣接する小容積の第３室と第４室とに分割された輸液装填可能な空間を備えており、第１室と第２室との境界部は、薬液バッグの幅方向に延びて両室に装填された輸液のいずれかを外部から押圧することにより剥離し得る剥離シールにて接合されており、前記剥離シールから、第１室と第３室との境界部及び第２室と第３室との境界部のシール及び第１室と第４室及び第２室と第４室との境界部のシールが輸液バッグの夫々の対向側縁まで延設され、第１室と第３室及び第２室と第３室との境界部の前記シールの双方、あるいは少なくとも一方、及び第１室と第４室及び第２室と第４室との境界部の前記シールの双方あるいは少なくとも一方は、第１室と第２室に装填された輸液のいずれかを外部から押圧することにより剥離し得る剥離シールにて接合されており、第１室と第２室に装填された輸液のいずれかを外部から押圧することにより第１室と第２室と第３室と第４室とが開通されることを特徴とする輸液バッグ。
【請求項３】
第１室と第２室、第１室と第３室、第1室と第４室、及び第２室と第３室、第２室と第４室の各間の剥離シールの長さをそれぞれ同長にしたことを特徴とする請求項１又は請求項２記載の輸液バッグ。
【発明の詳細な説明】
【０００１】
【発明の属する技術分野】
本発明は、ブドウ糖、アミノ酸などの輸液を分離して収容する輸液バッグに関するものである。
【０００２】
【従来の技術】
ブドウ糖、アミノ酸などの点滴用に使用される輸液は、一般に輸液バッグにあらかじめ設けられた注入口から注入された後シールされ、所定の注出口より点滴器具を介して人体に徐々に注入されるが、ブドウ糖、アミノ酸などの輸液は混合により不測の変質などが生ずるため、別々の容器に保管されており、使用直前に必要な多数の輸液を混合して使用されているが、作業に時間と労力を必要とするばかりでなく、緊急性を要するケースに対応しきれない欠点があった。
【０００３】
そこで、輸液バッグに剥離可能な剥離シールにて分離した２室又は３室の輸液装填用空間を形成し、それぞれの室に輸液を分離して装填して保管しておき、使用時に輸液の外部からの押圧により剥離シールを剥離して輸液を混合して使用に供されている。特に、点滴用輸液バッグにおいては、一般に点滴用輸液の母液となるブドウ糖とアミノ酸の２液を混合することは普通に行われている。
【０００４】
しかしながら、この種の輸液バッグに形成した輸液収納用室が２室の場合には、さらに小容量のビタミン液等を加えて混合することが必要な時に、必要とする輸液の数に対応することができないという欠点があった。この問題を解決するために、例えば特開平８−１８２７３９号発明では第３の薬液を収納する室を設けているが、該第３の薬液を母液と十分に混合するには、剥離シールを剥離するために、袋を押圧する部位が決められているという不便さがあった。
【０００５】
【発明が解決しようとする課題】
本発明は、かかる現状に鑑み、現在、必要性が増大している３種以上の輸液を点滴用輸液として簡易に混合して使用することが可能であり、しかも母液の２液のどちら側を押しても第３の液室がほぼ同時に簡単に開通することが可能な輸液バッグの提供を目的とするものである。
【０００６】
【課題を解決するための手段】
本発明は、上記の目的を達成するものであって、請求項１の発明は、柔軟性のある素材から形成された輸液バッグであって、輸液バッグ内における輸液収容可能な空間部の上部及び下部で全幅を占め上下に隣接する大容積の第１室と第２室と、輸液バッグの高さ方向においては前記第１室と第２室との間に位置しかつ幅方向では輸液バッグの片側に位置し、前記第１室と第２室の両方に隣接する小容積の第３室とに分割された輸液装填可能な空間を備えており、第１室と第２室との境界部は、薬液バッグの幅方向に延びて両室に装填された輸液のいずれかを外部から押圧することにより剥離し得る剥離シールにて接合されており、前記剥離シールから、第１室と第３室との境界部及び第２室と第３室との境界部のシールが輸液バッグの対向側縁まで延設され、第１室と第３室との境界部と第２室と第３室との境界部の前記シールの双方、あるいは少なくとも一方は第１室と第２室に装填された輸液のいずれかを外部から押圧することにより剥離し得る剥離シールにて接合されており、第１室と第２室に装填された輸液のいずれかを外部から押圧することにより第１室と第２室と第３室とが開通されることを特徴とする輸液バッグであり、請求項２の発明は、柔軟性のある素材から形成された輸液バッグであって、輸液バッグ内における輸液収容可能な空間部の上部及び下部で全幅を占め上下に隣接する大容積の第１室と第２室と、輸液バッグの高さ方向においては前記第１室と第２室との間に位置しかつ幅方向では輸液バッグの両側に位置し、前記第１室と第２室の両方に隣接する小容積の第３室と第４室とに分割された輸液装填可能な空間を備えており、第１室と第２室との境界部は、薬液バッグの幅方向に延びて両室に装填された輸液のいずれかを外部から押圧することにより剥離し得る剥離シールにて接合されており、前記剥離シールから、第１室と第３室との境界部及び第２室と第３室との境界部のシール及び第１室と第４室及び第２室と第４室との境界部のシールが輸液バッグの夫々の対向側縁まで延設され、第１室と第３室及び第２室と第３室との境界部の前記シールの双方、あるいは少なくとも一方、及び第１室と第４室及び第２室と第４室との境界部の前記シールの双方あるいは少なくとも一方は、第１室と第２室に装填された輸液のいずれかを外部から押圧することにより剥離し得る剥離シールにて接合されており、第１室と第２室に装填された輸液のいずれかを外部から押圧することにより第１室と第２室と第３室と第４室とが開通されることを特徴とする輸液バッグであり、請求項３の発明は、第１室と第２室、第１室と第３室、第1室と第４室、及び第２室と第３室、第２室と第４室の各間の剥離シールの長さをそれぞれ同長にしたことを特徴とする請求項１又は請求項２記載の輸液バッグである。
【０００７】
【発明の実施の形態】
以下、本発明をその実施例である図面にしたがって具体的に説明する。
【０００８】
図１において、１は輸液を内部に収容可能な袋状をなしている輸液バッグであって、該輸液バッグ１は隣接する大容積の第１室２と、大容積の第２室３と、これらの両方に隣接する小容積の第３室４と第４室５とに分割された輸液収容可能な空間を内部に備えている。
【０００９】
輸液バッグ１は、内部に装填された輸液を外部から押圧可能なものであり、主として合成樹脂フィルム、合成樹脂シート、ゴム板等を押圧により変形可能な柔軟性を有する素材から形成されている。合成樹脂シートとしては、平板状、チューブ状の形状のシートを挙げることができる。また、合成樹脂シートは単層、多層いずれに成形されたものでも使用できる。合成樹脂シートは各種の成形法にて製造されるが、特にインフレーション成形又はデフレーション成形されたポリエチレン又はポリプロピレンのフィルムを好適に使用できる。
輸液バッグ１は、輸液を内部に装填可能な袋状をなしていれば、いかなるものであってもよいが、図１においては２枚の合成樹脂フィルム等からなり、端部を保形シール６によって融着することにより得た比較的簡単で安価に製造可能なものを示している。
【００１０】
図１において、第１室２は上部に配設され、第２室３は下部に配設され、それぞれ右端から左端に至るまでの大容積を占めており、ほぼ中央部で境界線で分割されている。図においては、第２室３の容積を第１室２の容積より大きくしたが、同一であっても、いずれが大きくてもよい。第１室２の上部シール部にはこれを貫通する輸液注入出口８が配設されており、第２室３の下部シール部にはこれを貫通する輸液注入出口９が配設されている。第１室２と第２室３との境界部は、両室に装填された輸液（母液）のいずれかを外部から押圧することにより剥離し得る、直線状の剥離シール７ｂにて接合されている。
【００１１】
図１において、第３室４と第４室５とは、中央部の右端近傍と左端近傍とに配設されており、それぞれ第１室２と第２室３との両方に隣接している。第１室２と第３室４、および第２室２と第３室４との境界部は、第１、第２両室に装填された輸液（母液）の、いずれかを外部から押圧することにより、剥離し得る直線状の剥離シール７ｅ、７ｃにて接合されている。同様に第１室２と第４室５、および第２室２と第４室５との境界部は、第１、第２両室に装填された輸液（母液）の、いずれかを外部から押圧することにより、剥離し得る直線状の剥離シール７ｄ、７ａにて接合されている。
【００１２】
第３室４と第４室５と近接する両側箇所には、二つ折り誘導用凹部１０が形成されており、必要に応じてこの凹部を結ぶ仮想線を中心にして折り曲げることにより、いかなる収納箇所にも適宜に対応させることが可能であり、収納、保管を簡易にすることが可能である。
【００１３】
本発明の輸液バッグ１の大容積の第１室２と第２室３に、例えばブドウ糖・電解質液やアミノ酸液等の２種の母液をそれぞれ装填し、小容積の第３室と小容積の第４室とに、例えば高カロリー輸液用総合ビタミン剤について、有効成分である各種のビタミン間の配合変化を考慮して少なくとも２群のビタミン群に分けて溶液化したものをそれぞれ装填しておき、第１室２と第２室３のいずれかの母液を外部から押圧することにより、簡易にすべての剥離シール７、または小容積の第３室と小容積の第４室についてはこれらの少なくとも一方の剥離シール７を剥離して、開通することができ、すべての室内の液をほぼ同時に混合することが可能となる。
輸液の注入は、図４に示すように、あらかじめ設けておいた各室の注入口の仮シールを剥離して注入したあと、該注入口を本シールし、注入口片を削除するか、注入出口を使って行うことも出来る。
【００１４】
図１において、第１室２と第２室３との間の剥離シール７と、第１室２と第３室４との間の剥離シール７と、第１室２と第４室５との間の剥離シール７と、第２室３と第３室４との間の剥離シール７と、第２室３と第４室５との間の剥離シール７との長さをそれぞれ同長とすることにより、第１室又は第２室を押圧した力が各剥離シールに均等に伝わり、剥離シール７のほぼ同時の剥離によってすべての室内の液をほぼ同時に混合することが容易となる。なお、剥離シールの形状は直線状に限らず、湾曲状、ジグザク状などの各種の形状とすることができるが、
すべてを直線状とする場合には、剥離シール７の剥離抵抗に方向性が生じないため、剥離シール７の剥離によりすべての室内の液をほぼ同時に混合することが容易となる。剥離シール７の剥離性、長さ、幅、形状などの選択により適宜剥離の遅速を変化させることも可能である。
【００１５】
図２には、第１室２と第２室３と第３室４とからなる輸液バッグ１′を示しており、この輸液バッグ１′には第４室５がない以外は、図１の輸液バッグとほぼ同様のものであり、図２の各室は図１の輸液バッグ１と同等の機能を有するものである。
すなわち、この場合においても第１室２と第２室３に装填された母液のいずれかを外部から押圧しても、第１室２と第２室３との間の剥離シール７と、第１室２と第３室４の剥離シール７ｅと、第２室２と第３室４の剥離シール７ｃの双方、あるいは少なくとも一方とがほぼ同時に剥離され、装填されている液の混合を容易に行うことが可能である。
【００１６】
【発明の効果】
上記の説明から明らかなように、本発明の輸液バッグは、現在、必要性が増大している３種以上の輸液を点滴用輸液として簡易に混合して使用することが可能であり、しかも第１室、第２室に装填した母液のどちら側を押しても第３室または必要に応じて第４室の液室をも簡単に開通することが可能であり、作業者が押圧する側を選択する必要がないため、作業性が良く、また緊急性を要する場合においても、簡易に誤りなく使用可能な実用性に優れたものである。
【図面の簡単な説明】
【図１】本発明の一つの実施例の輸液バッグの正面図である。
【図２】本発明の他の実施例の輸液バッグの正面図である。
【図３】本発明の他の実施例の輸液バッグの正面図である。
【図４】本発明の輸液バッグの輸液に注入口の一つの実施例をしめす部分正面図である。
【符号の説明】
１，１′  輸液バッグ
２    大容積の第１室
３    大容積の第２室
４    小容積の第３室
５    小容積の第４室
６    保形シール
７    剥離シール
８    輸液注入出口
９    輸液注入出口
１０  二つ折り誘導用凹部
１１  輸液注入口
１２  輸液注入口の仮シール部
【図１】
0004186448.tif 000002
【図２】
0004186448.tif 000003
【図３】
0004186448.tif 000004
【図４】
0004186448.tif 000005